(57)【要約】【課題】ドラムカートリッジが本体ケーシングから離脱されているときに、感光ドラムの周面を保護することができるドラムカートリッジ、および、そのドラムカートリッジを備える画像形成装置を提供する。【解決手段】  ドラムカートリッジ３は、感光ドラム１２と、第１カバー３２と、第２カバー３３とを備える。第１カバー３２は、感光ドラム１２の第１領域Ｓ１を覆う第１閉位置と、第１領域Ｓ１を露出する第１開位置との間を回動可能である。第２カバー３３は、感光ドラム１２の第２領域Ｓ２を覆う第２閉位置と、第２領域Ｓ２を露出する第２開位置との間を回動可能である。第２カバー３３が第２閉位置から第２開位置へ回動する方向は、第１カバー３２が第１閉位置から第１開位置へ回動する方向とは反対の方向である。【選択図】図３
2019015856.tif 000002
【特許請求の範囲】
【請求項１】
本体ケーシングと、
前記本体ケーシングに対して装着可能なドラムカートリッジと、を備え、
前記ドラムカートリッジは、
第１領域および第２領域を含む周面を有する感光ドラムと、
前記感光ドラムの前記第１領域を覆う第１閉位置と前記第１領域を露出する第１開位置との間を回動可能な第１カバーと、
前記感光ドラムの前記第２領域を覆う第２閉位置と前記第２領域を露出する第２開位置との間を回動可能な第２カバーと、を備え、
前記第２カバーが前記第２閉位置から前記第２開位置へ回動する方向は、前記第１カバーが前記第１閉位置から前記第１開位置へ回動する方向とは反対の方向であることを特徴とする、画像形成装置。
【請求項２】
さらに、前記ドラムカートリッジとは独立して前記本体ケーシングに対して装着可能な現像カートリッジを備え、
前記現像カートリッジは、前記ドラムカートリッジと前記現像カートリッジとが前記本体ケーシングに装着されたときに、前記感光ドラムの前記第２領域と接触する現像ローラを備えることを特徴とする、請求項１に記載の画像形成装置。
【請求項３】
さらに、前記ドラムカートリッジが前記本体ケーシングに装着されたときに、前記感光ドラムの前記第１領域と接触する転写ローラを備えることを特徴とする、請求項１または請求項２に記載の画像形成装置。
【請求項４】
前記第１領域と前記第２領域とは、前記感光ドラムの回転方向において隣接していることを特徴とする、請求項１から請求項３のいずれか一項に記載の画像形成装置。
【請求項５】
前記第２領域は、前記感光ドラムの回転方向において、上流端と、前記上流端から離れて位置する下流端とを有し、
前記第１領域は、前記感光ドラムの前記回転方向において、前記下流端に対して、前記上流端の反対側に位置することを特徴とする、請求項１から請求項４のいずれか一項に記載の画像形成装置。
【請求項６】
前記第１カバーは、前記感光ドラムの回転軸線が延びる軸線方向に延びる第１軸線について回動可能であり、
前記第２カバーは、前記軸線方向に延びる第２軸線について回動可能であることを特徴とする、請求項１から請求項５のいずれか一項に記載の画像形成装置。
【請求項７】
前記第２カバーは、
前記ドラムカートリッジが前記本体ケーシングに装着され、かつ、前記現像カートリッジが前記本体ケーシングから離脱されている状態で、前記第２閉位置と前記第２開位置との間に位置し、
前記ドラムカートリッジと前記現像カートリッジとが前記本体ケーシングに装着されたときに、前記第２開位置に位置することを特徴とする、請求項２に記載の画像形成装置。
【請求項８】
前記第２カバーは、前記現像カートリッジが前記本体ケーシングに装着されるときに、前記現像カートリッジと当たることにより、前記第２閉位置と前記第２開位置との間の位置から、前記第２開位置に向かって移動することを特徴とする、請求項７に記載の画像形成装置。
【請求項９】
前記現像カートリッジは、第１突起と、前記現像ローラの回転軸方向において前記第１突起から離れて位置する第２突起とを有し、
前記第２カバーは、前記現像カートリッジが前記本体ケーシングに装着されるときに、前記第１突起および前記第２突起と当たることにより、前記第２閉位置と前記第２開位置との間の位置から、前記第２開位置に向かって移動することを特徴とする、請求項８に記載の画像形成装置。
【請求項１０】
前記ドラムカートリッジは、ハンドルを備え、
前記ハンドルの少なくとも一部は、前記ドラムカートリッジが前記本体ケーシングに装着された状態で、前記第２開位置に位置する前記第２カバーよりも上方に位置することを特徴とする、請求項１から請求項９のいずれか一項に記載の画像形成装置。
【請求項１１】
前記ハンドルは、前記第１開位置に位置する前記第１カバーと、前記第２開位置に位置する第２カバーとの間に位置し、
前記第１開位置に位置する前記第１カバーと、前記第２開位置に位置する第２カバーとの距離は、１０ｍｍ以上、２０ｍｍ以下であることを特徴とする、請求項１０に記載の画像形成装置。
【請求項１２】
さらに、前記感光ドラムを露光するための露光装置であって、前記第２開位置に位置する前記第２カバーの下を通って前記感光ドラムに入射する光を出射するように構成される露光装置を備え、
前記第２カバーは、前記第２開位置に位置する状態で、前記ハンドルと前記露光装置との間に位置することを特徴とする、請求項１０または請求項１１に記載の画像形成装置。
【請求項１３】
前記ドラムカートリッジは、前記感光ドラムを支持するフレームと、前記フレームから突出するハンドルとを有し、
前記ハンドルは、前記フレームから延びる第１部分と、前記感光ドラムの回転軸線が延びる軸線方向において前記第１部分から離れて位置する第２部分であって、前記フレームから延びる第２部分と、前記軸線方向において前記第１部分と前記第２部分との間に位置し、前記軸線方向に延びる第３部分であって、前記第１部分と前記第２部分とを連結する第３部分であり、前記フレームから離れて位置する第３部分と、を有し、
前記第２カバーは、前記第２開位置に位置する状態で、前記フレームと、前記ハンドルの前記第３部分との間に位置することを特徴とする、請求項１から請求項１２のいずれか一項に記載の画像形成装置。
【請求項１４】
前記ドラムカートリッジは、前記第２カバーを回転可能に支持する第１シャフトと、前記軸線方向において前記第１シャフトから離れて位置する第２シャフトであって、前記第１シャフトとともに前記第２カバーを回転可能に支持する第２シャフトと、を有し、
前記第２カバーは、前記第２カバーが前記第２閉位置に位置するときに前記感光ドラムの前記第２領域を覆う被覆部であって、前記第２カバーが前記第２開位置に位置する状態で、前記フレームと、前記ハンドルの前記第３部分との間に位置する被覆部と、前記被覆部と前記第１シャフトとを接続する第１アームと、前記被覆部と前記第２シャフトとを接続する第２アームと、を有することを特徴とする、請求項１３に記載の画像形成装置。
【請求項１５】
前記被覆部は、前記第２カバーが前記第２閉位置と前記第２開位置との間を回動するときに、前記感光ドラムの周面に沿って移動することを特徴とする、請求項１４に記載の画像形成装置。
【請求項１６】
前記感光ドラムは、前記第２カバーを回転可能に支持し、前記軸線方向に延びるドラムシャフトを有し、
前記第２カバーは、前記第２カバーが前記第２閉位置に位置するときに前記感光ドラムの前記第２領域を覆う被覆部であって、前記第２カバーが前記第２開位置に位置する状態で、前記フレームと、前記ハンドルの前記第３部分との間に位置する被覆部と、前記被覆部と前記ドラムシャフトの前記軸線方向一端部とを接続する第１アームと、前記被覆部と前記ドラムシャフトの前記軸線方向他端部とを接続する第２アームと、を有することを特徴とする、請求項１３に記載の画像形成装置。
【請求項１７】
前記軸線方向における前記被覆部の長さは、前記軸線方向における前記第１部分と前記第２部分との間隔よりも短く、
前記被覆部は、前記第２カバーが前記第２開位置に位置する状態で、前記軸線方向において、前記第１部分と前記第２部分との間に位置することを特徴とする、請求項１４から請求項１６のいずれか一項に記載の画像形成装置。
【請求項１８】
前記軸線方向における前記被覆部の長さは、前記軸線方向における前記第１部分と前記第２部分との間隔よりも長く、
前記被覆部は、前記第２カバーが前記第２開位置に位置する状態で前記第１部分が嵌まる第１凹部と、前記第２カバーが前記第２開位置に位置する状態で前記第２部分が嵌まる第２凹部と、を有することを特徴とする、請求項１４から請求項１６のいずれか一項に記載の画像形成装置。
【請求項１９】
前記第１カバーが前記第１閉位置に位置し、かつ、前記第２カバーが前記第２閉位置に位置する状態で、前記感光ドラムの周方向における前記第２カバーの端部は、前記第１カバーと重なることを特徴とする、請求項１から請求項１８のいずれか一項に記載の画像形成装置。
【請求項２０】
第１領域および第２領域を含む周面を有する感光ドラムと、
前記感光ドラムの前記第１領域を覆う第１閉位置と前記第１領域を露出する第１開位置との間を回動可能な第１カバーと、
前記感光ドラムの前記第２領域を覆う第２閉位置と前記第２領域を露出する第２開位置との間を回動可能な第２カバーと、を備え、
前記第２カバーが前記第２閉位置から前記第２開位置へ回動する方向は、前記第１カバーが前記第１閉位置から前記第１開位置へ回動する方向とは反対の方向であることをドラムカートリッジ。
【請求項２１】
前記第１領域と前記第２領域とは、前記感光ドラムの回転方向において隣接していることを特徴とする請求項２０に記載のドラムカートリッジ。
【請求項２２】
前記第２領域は、前記感光ドラムの回転方向において、上流端と、前記上流端から離れて位置する下流端とを有し、
前記第１領域は、前記感光ドラムの前記回転方向において、前記下流端に対して、前記上流端の反対側に位置することを特徴とする、請求項２０または請求項２１に記載のドラムカートリッジ。
【請求項２３】
前記第１カバーは、前記感光ドラムの回転軸線が延びる軸線方向に延びる第１軸線について回動可能であり、
前記第２カバーは、前記軸線方向に延びる第２軸線について回動可能であることを特徴とする請求項２０から請求項２２のいずれか一項に記載のドラムカートリッジ。
【請求項２４】
さらに、前記第１開位置に位置する前記第１カバーと、前記第２開位置に位置する第２カバーとの間に位置するハンドルを備え、
前記第１開位置に位置する前記第１カバーと、前記第２開位置に位置する第２カバーとの距離は、１０ｍｍ以上、２０ｍｍ以下であることを特徴とする、請求項２０から請求項２３のいずれか一項に記載のドラムカートリッジ。
【請求項２５】
前記感光ドラムを支持するフレームと、
前記フレームから突出するハンドルと、をさらに備え、
前記ハンドルは、前記フレームから延びる第１部分と、前記感光ドラムの回転軸線が延びる軸線方向において前記第１部分から離れて位置する第２部分であって、前記フレームから延びる第２部分と、前記軸線方向において前記第１部分と前記第２部分との間に位置し、前記軸線方向に延びる第３部分であって、前記第１部分と前記第２部分とを連結する第３部分であり、前記フレームから離れて位置する第３部分とを有し、
前記第２カバーは、前記第２開位置に位置する状態で、前記フレームと前記ハンドルの前記第３部分との間に位置することを特徴とする、請求項２０から請求項２４のいずれか一項に記載のドラムカートリッジ。
【発明の詳細な説明】
【技術分野】
【０００１】
本発明は、画像形成装置およびドラムカートリッジに関する。
【背景技術】
【０００２】
従来、本体ケーシングと、ドラムカートリッジとを備える画像形成装置が知られている。ドラムカートリッジは、本体ケーシングに装着可能である。ドラムカートリッジは、感光ドラムを有する（下記特許文献１参照）。
【先行技術文献】
【特許文献】
【０００３】
【特許文献１】特開２０１７−５８５１７号公報
【発明の概要】
【発明が解決しようとする課題】
【０００４】
しかし、上記特許文献１に記載されるドラムカートリッジでは、感光ドラムの周面が露出している。そのため、ドラムカートリッジが本体ケーシングから離脱されているときに、感光ドラムの周面が、汚染されたり傷ついたりする可能性がある。
【０００５】
そこで、本開示の目的は、ドラムカートリッジが本体ケーシングから離脱されているときに、感光ドラムの周面を保護することができるドラムカートリッジ、および、そのドラムカートリッジを備える画像形成装置を提供することにある。
【課題を解決するための手段】
【０００６】
本発明の画像形成装置は、本体ケーシングと、本体ケーシングに対して装着可能なドラムカートリッジとを備える。
【０００７】
ドラムカートリッジは、感光ドラムと、第１カバーと、第２カバーとを備える。感光ドラムは、第１領域および第２領域を含む周面を有する。第１カバーは、感光ドラムの第１領域を覆う第１閉位置と、第１領域を露出する第１開位置との間を回動可能である。第２カバーは、感光ドラムの第２領域を覆う第２閉位置と、第２領域を露出する第２開位置との間を回動可能である。
【０００８】
第２カバーが第２閉位置から第２開位置へ回動する方向は、第１カバーが第１閉位置から第１開位置へ回動する方向とは反対の方向である。
【０００９】
このような構成によれば、ドラムカートリッジは、互いに反対の方向に回動する第１カバーおよび第２カバーによって、感光ドラムの周面を覆うことができる。
【００１０】
その結果、ドラムカートリッジが本体ケーシングから離脱されているときに、第１カバーを第１閉位置に位置させ、かつ、第２カバーを第２閉位置に位置させることにより、感光ドラムの周面を保護することができる。
【発明の効果】
【００１１】
本発明の画像形成装置によれば、ドラムカートリッジが本体ケーシングから離脱されているときに、感光ドラムの周面を保護することができる。
【図面の簡単な説明】
【００１２】
【図１】図１は、画像形成装置の概略構成図である。
【図２】図２は、図１に示す本体ケーシングを説明する説明図である。
【図３】図３Ａは、図１に示すドラムカートリッジの断面図であって、第１カバーが第１閉位置に位置し、第２カバーが第２閉位置に位置した状態を示す。図３Ｂは、図３Ａに示すドラムカートリッジであって、第１カバーが第１開位置に位置し、第２カバーが第２開位置に位置した状態を示す。
【図４】図４は、本体ケーシングに対するドラムカートリッジの装着を説明するための説明図である。
【図５】図５は、第２実施形態を説明するための説明図である。
【図６】図６は、第３実施形態を説明するための説明図であって、第２カバーが、第２閉位置と第２開位置との間に位置する状態を示す。
【図７】図７は、図６とともに第３実施形態を説明するための説明図であって、第２カバーに、現像カートリッジの第１突起および第２突起が接触した状態を示す。
【図８】図８Ａは、第４実施形態のドラムカートリッジの断面図であって、第１カバーが第１閉位置に位置し、第２カバーが第２閉位置に位置した状態を示す。図８Ｂは、図８Ａに示すドラムカートリッジであって、第１カバーが第１開位置に位置し、第２カバーが第２開位置に位置した状態を示す。
【図９】図９は、図８Ｂに示すドラムカートリッジを、第２カバーに対して第１カバーの反対側から見た側面図である。
【図１０】図１０は、図９に示すドラムカートリッジの変形例を示す。
【発明を実施するための形態】
【００１３】
１．画像形成装置１の概略
以下、画像形成装置１の概略について説明する。
【００１４】
図１に示すように、画像形成装置１は、本体ケーシング２と、ドラムカートリッジ３と、現像カートリッジ４とを備える。
【００１５】
１．１  本体ケーシング２
本体ケーシング２は、ドラムカートリッジ３および現像カートリッジ４を本体ケーシング２に装着するための開口２Ａを有する。開口２Ａは、ドラムカートリッジ３が本体ケーシング２に装着されるとき、および、現像カートリッジ４が本体ケーシング２に装着されるときに、共通して使用される。本体ケーシング２は、カバー５と、露光装置６と、転写ローラ７と、定着器８と、給紙部９と、給紙トレイ１０とを備える。すなわち、画像形成装置１は、露光装置６と、転写ローラ７とを備える。
【００１６】
カバー５は、開口２Ａを開放する開位置（図２参照）と、開口２Ａを閉鎖する閉位置（図１参照）との間を移動可能である。
【００１７】
露光装置６は、後述する感光ドラム１２の周面を露光するように構成される。露光装置６は、光Ｌを出射するように構成される。詳しくは、露光装置６は、レーザースキャンユニットである。露光装置６は、光Ｌを出射するための出射口６Ａを有する。出射口６Ａから出射された光Ｌは、後述する第２開位置に位置する第２カバー３３の下方、かつ、現像カートリッジ４の上方を通って感光ドラム１２の周面に入射する。
【００１８】
転写ローラ７は、感光ドラム１２の周面に形成されたトナー像を用紙に転写するように構成される。転写ローラ７は、ドラムカートリッジ３が本体ケーシング２に装着されたときに、後述する感光ドラム１２の周面と接触する。
【００１９】
定着器８は、トナー像が転写された用紙を加熱および加圧して、用紙にトナー像を定着させるように構成される。定着器８を通過した用紙は、カバー５の上に排紙される。
【００２０】
給紙部９は、給紙トレイ１０内の用紙を、感光ドラム１２と転写ローラ７との間に供給するように構成される。
【００２１】
給紙トレイ１０は、用紙を収容するように構成される。
【００２２】
１．２  ドラムカートリッジ３
ドラムカートリッジ３は、開口２Ａを介して本体ケーシング２に対して装着可能である。ドラムカートリッジ３は、感光ドラム１２と、帯電ローラ１３とを備える。
【００２３】
感光ドラム１２は、軸線方向に延びる回転軸線Ａについて回転可能である。
【００２４】
帯電ローラ１３は、感光ドラム１２の周面を帯電するように構成される。帯電ローラ１３は、感光ドラム１２の周面と接触する。
【００２５】
１．３  現像カートリッジ４
現像カートリッジ４は、開口２Ａを介して本体ケーシング２に対して装着可能である。現像カートリッジ４は、ドラムカートリッジ３とは独立して本体ケーシング２に対して装着可能である。現像カートリッジ４は、トナーを収容する。現像カートリッジ４は、現像ローラ１４を備える。
【００２６】
現像ローラ１４は、感光ドラム１２にトナーを供給するように構成される。現像ローラ１４は、ドラムカートリッジ３と現像カートリッジ４とが本体ケーシング２に装着されたときに、感光ドラム１２の周面と接触する。
【００２７】
２．本体ケーシング２の詳細
次いで、本体ケーシング２の詳細について説明する。
【００２８】
図２に示すように、本体ケーシング２は、ドラムガイド２１と、現像ガイド２２とを備える。
【００２９】
２．１  ドラムガイド２１
ドラムガイド２１は、ドラムカートリッジ３が本体ケーシング２に装着されるときに、ドラムカートリッジ３（図１参照）をガイドする。ドラムガイド２１は、軸線方向において、本体ケーシング２の内面に位置する。ドラムガイド２１は、ドラム装着方向に延びる。ドラム装着方向は、ドラムカートリッジ３が本体ケーシング２に装着されるときに、ドラムカートリッジ３が移動する方向である。
【００３０】
２．２  現像ガイド２２
現像ガイド２２は、現像カートリッジ４（図１参照）が本体ケーシング２に装着されるときに、現像カートリッジ４をガイドする。現像ガイド２２は、ドラムガイド２１と同様に、軸線方向において、本体ケーシング２の内面に位置する。現像ガイド２２は、ドラムガイド２１と露光装置６との間に位置する。現像ガイド２２は、現像装着方向に延びる。現像装着方向は、現像カートリッジ４が本体ケーシング２に装着されるときに、現像カートリッジ４が移動する方向である。
【００３１】
３．ドラムカートリッジ３の詳細
図３Ａおよび図３Ｂに示すように、ドラムカートリッジ３は、上記した感光ドラム１２と、フレーム３１と、第１カバー３２と、第２カバー３３と、ハンドル３４とを備える。
【００３２】
３．１  感光ドラム１２
感光ドラム１２の周面は、第１領域Ｓ１および第２領域Ｓ２を含む。
【００３３】
第１領域Ｓ１は、感光ドラム１２の回転方向において、上流端Ｅ１と、下流端Ｅ２とを有する。下流端Ｅ２は、感光ドラム１２の回転方向において、上流端Ｅ１から離れて位置する。第１領域Ｓ１には、ドラムカートリッジ３が本体ケーシング２に装着されたときに、転写ローラ７が、接触する。第１領域Ｓ１は、感光ドラム１２の回転方向において、後述する第２領域Ｓ２の下流端Ｅ１２に対して、後述する第２領域Ｓ２の上流端Ｅ１１の反対側に位置する。
【００３４】
第２領域Ｓ２は、感光ドラム１２の回転方向において、第１領域Ｓ１と隣接している。詳しくは、第２領域Ｓ２は、感光ドラム１２の回転方向において、上流端Ｅ１１と、下流端Ｅ１２とを有する。下流端Ｅ１２は、感光ドラム１２の回転方向において、上流端Ｅ１１から離れて位置する。第２領域Ｓ２の下流端Ｅ１２は、第１領域Ｓ１の上流端Ｅ１と連続している。また、第２領域Ｓ２の上流端Ｅ１１は、感光ドラム１２の回転方向において、第１領域Ｓ１の下流端Ｅ２に対して、間隔を隔てている。第２領域Ｓ２には、ドラムカートリッジ３と現像カートリッジ４とが本体ケーシング２に装着されたときに、現像ローラ１４が、接触する。
【００３５】
なお、感光ドラム１２の周面のうち、感光ドラム１２の回転方向において、第１領域Ｓ１の下流端Ｅ２と、第２領域Ｓ２の上流端Ｅ１１との間の領域には、帯電ローラ１３が、接触する。
【００３６】
３．２  フレーム３１
フレーム３１は、感光ドラム１２および帯電ローラ１３を支持する。フレーム３１は、軸線方向に延びる。
【００３７】
３．３  第１カバー３２
第１カバー３２は、感光ドラム１２の第１領域Ｓ１を覆う第１閉位置（図３Ａ参照）と、第１領域Ｓ１を露出する第１開位置（図３Ｂ参照）との間を回動可能である。第１カバー３２は、図３Ａに示すように、ドラムカートリッジ３が本体ケーシング２から離脱された状態で、第１閉位置に位置する。第１カバー３２は、図４に示すように、ドラムカートリッジ３が本体ケーシング２に装着されるときに、本体ケーシング２内の第１接触部３５に接触することにより、第１閉位置から第１開位置へ向かって回動する。なお、第１接触部３５は、ドラムカートリッジ３が本体ケーシング２に装着されるときに第１カバー３２を回動させることができるように、適宜、設計される。具体的には、第１接触部３５は、本体ケーシング２の内面から突出するリブである。第１接触部３５は、ドラムガイド２１に対して、現像ガイド２２の反対側に位置する。第１カバー３２は、図１に示すように、本体ケーシング２に対するドラムカートリッジ３の装着が完了した状態で、第１開位置に位置する。
【００３８】
図３Ａおよび図３Ｂに示すように、第１カバー３２は、軸線方向に延びる第１軸線Ａ１について回動可能である。第１カバー３２は、フレーム３１に、回動可能に取り付けられる。第１カバー３２は、折り畳み可能である。詳しくは、第１カバー３２は、カバー板３２Ａと、カバー板３２Ｂとを備える。カバー板３２Ａは、フレーム３１に、回動可能に取り付けられる。カバー板３２Ｂは、カバー板３２Ａに、回動可能に取り付けられる。第１カバー３２は、第１開位置に位置する状態で、カバー板３２Ｂがカバー板３２Ａに積み重なるように、折り畳まれる。第１カバー３２は、ドラムカートリッジ３が本体ケーシング２に装着されたときに、図３Ｂに示すように、折り畳まれた状態で、感光ドラム１２と定着器８との間に位置する。また、第１カバー３２は、第１閉位置から第１開位置に回動するときに、カバー板３２Ｂがカバー板３２Ａに対して回動することにより、拡がる。第１カバー３２は、ドラムカートリッジ３が本体ケーシング２から離脱されたときに、図３Ａに示すように、拡がった状態で、感光ドラム１２を覆う。
【００３９】
３．４  第２カバー３３
第２カバー３３は、感光ドラム１２の第２領域Ｓ２を覆う第２閉位置（図３Ａ参照）と、第２領域Ｓ２を露出する第２開位置（図３Ｂ参照）との間を回動可能である。第２カバー３３が第２閉位置から第２開位置へ回動する方向は、第１カバー３２が第１閉位置から第１開位置へ回動する方向とは反対の方向である。第２カバー３３は、図３Ａに示すように、ドラムカートリッジ３が本体ケーシング２から離脱された状態で、第２閉位置に位置する。第２カバー３３は、図４に示すように、ドラムカートリッジ３が本体ケーシング２に装着されるときに、本体ケーシング２内の第２接触部３６に接触することにより、第２閉位置から第２開位置へ向かって回動する。なお、第２接触部３６は、ドラムカートリッジ３が本体ケーシング２に装着されるときに第２カバー３３を回動させることができるように、適宜、設計される。具体的には、第２接触部３６は、本体ケーシング２の内面から突出するボスである。第２接触部３６は、ドラムガイド２１に対して、第１接触部３５の反対側に位置する。第２カバー３３は、図１に示すように、本体ケーシング２に対するドラムカートリッジ３の装着が完了した状態で、本体ケーシング２内の第３接触部３７に接触することにより、第２開位置に保たれる。なお、第３接触部３７は、本体ケーシング２に対するドラムカートリッジ３の装着が完了した状態で、第２カバー３３に接触して、第２カバー３３を第２開位置に保つことができるように、適宜、設計される。具体的には、第３接触部３７は、本体ケーシング２の内面から突出するボスである。第３接触部３７は、ドラムガイド２１に対して、第１接触部３５の反対側に位置する。また、第３接触部３７は、ドラム装着方向において、第２接触部３６よりも下流側に位置する。
【００４０】
図３Ａおよび図３Ｂに示すように、第２カバー３３は、軸線方向に延びる第２軸線Ａ２について回動可能である。第２カバー３３は、フレーム３１に、回動可能に取り付けられる。第２カバー３３は、平板形状を有する。第２カバー３３は、図１に示すように、本体ケーシング２に対するドラムカートリッジ３の装着が完了した状態で、すなわち、第２開位置に位置する状態で、ハンドル３４と露光装置６との間に位置する。また、図３Ａに示すように、本体ケーシング２からドラムカートリッジ３が離脱された状態で、すなわち、第１カバー３２が第１閉位置に位置し、かつ、第２カバー３３が第２閉位置に位置する状態で、感光ドラム１２の周方向における第２カバー３３の端部３３Ｂは、第１カバー３２と重なる。詳しくは、第２カバー３３は、感光ドラム１２の周方向において、フレーム３１に回動可能に取り付けられる一端部３３Ａと、一端部３３Ａに対してフレーム３１の反対側に位置する他端部３３Ｂとを有する。第１カバー３２が第１閉位置に位置し、かつ、第２カバー３３が第２閉位置に位置する状態で、第２カバー３３の他端部３３Ｂは、第１カバー３２の端部３２Ｃと重なる。言い換えると、第１カバー３２が第１閉位置に位置し、かつ、第２カバー３３が第２閉位置に位置する状態で、感光ドラム１２の径方向において、第１カバー３２の端部３２Ｃは、第２カバー３３の他端部３３Ｂと感光ドラム１２との間に位置する。なお、第１カバー３２が第１閉位置に位置し、かつ、第２カバー３３が第２閉位置に位置する状態で、感光ドラム１２の径方向において、第２カバー３３の他端部３３Ｂが、第１カバー３２の端部３２Ｃと感光ドラム１２との間に位置してもよい。これにより、本体ケーシング２からドラムカートリッジ３が離脱された状態で、第１カバー３２および第２カバー３３は、感光ドラム１２の周方向において、隙間なく、感光ドラム１２の周面を覆うことができる。
【００４１】
なお、第１カバー３２が第１閉位置に位置し、かつ、第２カバー３３が第２閉位置に位置する状態で、第２カバー３３の他端部３３Ｂは、第１カバー３２の端部３２Ｃと接触していてもよく、ユーザの指などが通らない程度の間隔を隔てて離れていてもよい。
【００４２】
３．５  ハンドル３４
ハンドル３４は、ドラムカートリッジ３を本体ケーシングに対して装着するとき、または、ドラムカートリッジ３を本体ケーシングから離脱するときに、ユーザーによって、つかまれる。ハンドル３４は、フレーム３１から突出する。ハンドル３４は、図１に示すように、ドラムカートリッジ３が本体ケーシングに対して装着された状態で、第１開位置に位置する第１カバー３２と、第２開位置に位置する第２カバー３３との間に位置する。第１開位置に位置する第１カバー３２と、第２開位置に位置する第２カバー３３との距離Ｄは、１０ｍｍ以上、２０ｍｍ以下である。第１開位置に位置する第１カバー３２と第２開位置に位置する第２カバー３３との距離Ｄが、上記した下限値以上であることにより、第１開位置に位置する第１カバー３２と、第２開位置に位置する第２カバー３３との間に、ユーザーが手を入れるための空間を確保できる。また、第１開位置に位置する第１カバー３２と第２開位置に位置する第２カバー３３との距離Ｄが、上記した上限値以下であることにより、ドラムカートリッジ３が本体ケーシングに対して装着された状態で、第１カバー３２および第２カバー３３を、コンパクトに配置することができる。
【００４３】
５．作用効果
ドラムカートリッジ３は、図３Ａに示すように、互いに反対の方向に回動する第１カバー３２および第２カバー３３によって、感光ドラム１２の周面を覆うことができる。
【００４４】
その結果、ドラムカートリッジ３が本体ケーシング２から離脱されているときに、第１カバー３２を第１閉位置に位置させ、かつ、第２カバー３３を第２閉位置に位置させることにより、感光ドラム１２の周面を保護することができる。
【００４５】
また、上記した画像形成装置１では、ドラムカートリッジ３と現像カートリッジ４とが、それぞれ、独立して本体ケーシング２に対して装着可能である。
【００４６】
そして、感光ドラム１２は、ドラムカートリッジ３が本体ケーシング２に装着された状態で、第１領域Ｓ１で転写ローラ７と接触しつつ、第２領域Ｓ２で現像ローラ１４と接触する。
【００４７】
そのため、感光ドラム１２の周面を覆うカバーが設けられていない場合、ドラムカートリッジ３が本体ケーシング２から離脱された状態で、第１領域Ｓ１および第２領域Ｓ２を含む感光ドラム１２の周面の大部分が露出された状態となり、感光ドラム１２の周面が汚染されたり、傷つく可能性が高い。
【００４８】
しかし、ドラムカートリッジ３は、第１領域Ｓ１を覆う第１カバー３２と、第２領域Ｓ２を覆う第２カバー３３とを備えるので、感光ドラム１２の周面を、確実に保護することができる。
【００４９】
６．第２実施形態
図５を参照して、第２実施形態について説明する。なお、第２実施形態において、上記した実施形態と同様の部材には同じ符号を付し、その説明を省略する。
【００５０】
図５に示すように、ハンドル３４の少なくとも一部は、ドラムカートリッジ３が本体ケーシング２に装着された状態で、第２開位置に位置する第２カバー３３よりも上方に位置してもよい。好ましくは、ハンドル３４のグリップ部分５１は、ドラムカートリッジ３が本体ケーシング２に装着された状態で、第２開位置に位置する第２カバー３３よりも上方に位置してもよい。
【００５１】
第２実施形態によれば、ユーザーは、第２カバー３３が第２開位置に位置する状態で、ハンドル３４を容易につかむことができる。
【００５２】
また、第２実施形態においても、上記した実施形態と同様の作用効果を得ることができる。
【００５３】
７．第３実施形態
図６および図７を参照して、第３実施形態について説明する。なお、第３実施形態において、上記した実施形態と同様の部材には同じ符号を付し、その説明を省略する。
【００５４】
第２カバー３３は、図６に示すように、ドラムカートリッジ３が本体ケーシング２に装着され、かつ、現像カートリッジ４が本体ケーシング２から離脱されている状態で、第２閉位置と第２開位置との間に位置してもよい。
【００５５】
この場合、現像カートリッジ４は、図７に示すように、第１突起４１と、第２突起４２とを有してもよい。第２突起４２は、現像ローラ１４の回転軸方向において、第１突起４１から離れて位置する。なお、露光装置６から出射される光Ｌ（図１）は、軸線方向において、第１突起４１と第２突起４２との間を通過する。
【００５６】
そして、第２カバー３３は、現像カートリッジ４が本体ケーシング２に装着されるときに、現像カートリッジ４と当たることにより、第２閉位置と第２開位置との間の位置から、第２開位置に向かって移動してもよい。詳しくは、第２カバー３３は、現像カートリッジ４が本体ケーシング２に装着されるときに、第１突起４１および第２突起４２と当たることにより、第２閉位置と第２開位置との間の位置から、第２開位置に向かって移動してもよい。
【００５７】
第３実施形態では、第２カバー３３は、ドラムカートリッジ３と現像カートリッジ４とが本体ケーシング２に装着されたときに、第２開位置に位置する。
【００５８】
第３実施形態においても、上記した実施形態と同様の作用効果を得ることができる。
【００５９】
８．  第４実施形態
図８から図１０を参照して、第４実施形態について説明する。なお、第４実施形態において、上記した実施形態と同様の部材には同じ符号を付し、その説明を省略する。
【００６０】
図８Ａおよび図８Ｂに示すように、第２カバー６１は、感光ドラム１２の第２領域Ｓ２を覆うための被覆部６２を有し、被覆部６２が感光ドラム１２の周面に沿って移動するように、第２閉位置と第２開位置との間を回動してもよい。この場合、第２カバー６１の被覆部６２は、図８Ｂに示すように、第２カバー６１が第２開位置に位置する状態で、フレーム３１と、ハンドル３４の第３部分３４Ｃとの間に位置してもよい。
【００６１】
以下、第４実施形態について詳しく説明する。
【００６２】
８．１  ハンドル３４
図９に示すように、ハンドル３４は、第１部分３４Ａと、第２部分３４Ｂと、第３部分３４Ｃとを有する。
【００６３】
第１部分３４Ａは、フレーム３１から延びる。
【００６４】
第２部分３４Ｂは、軸線方向において、第１部分３４Ａから離れて位置する。第２部分３４Ｂは、フレーム３１から延びる。
【００６５】
第３部分３４Ｃは、ドラムカートリッジ３を本体ケーシングに対して装着するとき、または、ドラムカートリッジ３を本体ケーシングから離脱するときに、ユーザーによって、つかまれるためのグリップ部分である。第３部分３４Ｃは、軸線方向において、第１部分３４Ａと第２部分３４Ｂとの間に位置し、軸線方向に延びる。第３部分３４Ｃは、第１部分３４Ａと第２部分３４Ｂとを連結する。第３部分３４Ｃは、フレーム３１から離れて位置する。
【００６６】
８．２  第２カバー６１
図８Ａに示すように、第２カバー６１は、被覆部６２と、第１アーム６３と、第２アーム６４（図９参照）とを有する。
【００６７】
被覆部６２は、図９に示すように、軸線方向において、第１アーム６３と第２アーム６４との間に位置する。被覆部６２は、軸線方向に延びる。また、被覆部６２は、感光ドラム１２の周方向に延びる。被覆部６２は、軸線方向から見て、円弧形状を有する。
【００６８】
なお、図９に示すように、軸線方向における被覆部６２の長さＬ１は、軸線方向における第１部分３４Ａと第２部分３４Ｂとの間隔Ｄ１よりも短くてもよい。この場合、被覆部６２は、第２カバー６１が第２開位置に位置する状態で、軸線方向において、ハンドル３４の第１部分３４Ａと第２部分３４Ｂとの間に位置する。
【００６９】
また、図１０に示すように、軸線方向における被覆部６２の長さＬ２は、軸線方向における第１部分３４Ａと第２部分３４Ｂとの間隔Ｄ２よりも長くてもよい。この場合、被覆部６２は、第１凹部６５と、第２凹部６６とを有する。第１凹部６５には、第２カバー６１が第２開位置に位置する状態で、ハンドル３４の第１部分３４Ａが嵌まる。第２凹部６６には、第２カバー６１が第２開位置に位置する状態で、ハンドル３４の第２部分３４Ｂが嵌まる。
【００７０】
また、図９に示すように、第２カバー６１は、感光ドラム１２のドラムシャフト１２Ａによって、回転可能に支持されてもよい。ドラムシャフト１２Ａは、軸線方向に延びる。ドラムシャフト１２Ａは、円柱形状を有する。この場合、第１アーム６３は、被覆部６２とドラムシャフト１２Ａの軸線方向一端部とを接続する。詳しくは、第１アーム６３は、被覆部６２の軸線方向一端部と、ドラムシャフト１２Ａの軸線方向一端部とを接続する。また、第２アーム６４は、被覆部６２とドラムシャフト１２Ａの軸線方向他端部とを接続する。詳しくは、第２アーム６４は、軸線方向において、第１アーム６３に対して間隔を隔てて位置する。第２アーム６４は、被覆部６２の軸線方向他端部と、ドラムシャフト１２Ａの軸線方向他端部とを接続する。
【００７１】
また、図１０に示すように、第２カバー６１は、フレーム３１の軸線方向一端部から延びる第１シャフト６７と、フレーム３１の軸線方向他端部から延びる第２シャフト６８とによって、回転可能に支持されてもよい。詳しくは、ドラムカートリッジ３は、フレーム３１の軸線方向一端部から延びる第１シャフト６７と、フレーム３１の軸線方向他端部から延びる第２シャフト６８とを有する。
【００７２】
第１シャフト６７は、軸線方向に延びる。第１シャフト６７は、円柱形状を有する。第１シャフト６７には、第１アーム６３が、回転可能に接続される。つまり、第１アーム６３は、被覆部６２と第１シャフト６７とを接続する。これにより、第１シャフト６７は、第２カバー６１を回転可能に支持する。
【００７３】
第２シャフト６８は、軸線方向において第１シャフト６７から離れて位置する。第２シャフト６８は、軸線方向に延びる。第２シャフト６８は、円柱形状を有する。第２シャフト６８には、第２アーム６４が、回転可能に接続される。つまり、第２アーム６４は、被覆部６２と第２シャフト６８とを接続する。これにより、第２シャフト６８は、第１シャフト６７とともに第２カバー６１を回転可能に支持する。
【００７４】
８．３  作用効果
第４実施形態においても、上記した実施形態と同様の作用効果を得ることができる。
【符号の説明】
【００７５】
１        画像形成装置
２        本体ケーシング
３        ドラムカートリッジ
４        現像カートリッジ
６        露光装置
７        転写ローラ
１２      感光ドラム
１２Ａ    ドラムシャフト
１４      現像ローラ
３１      フレーム
３２      第１カバー
３３      第２カバー
３４      ハンドル
３４Ａ    第１部分
３４Ｂ    第２部分
３４Ｃ    第３部分
４１      第１突起
４２      第２突起
６１      第２カバー
６２      被覆部
６３      第１アーム
６４      第２アーム
６５      第１凹部
６６      第２凹部
６７      第１シャフト
６８      第２シャフト
Ａ        回転軸線
Ａ１      第１軸線
Ａ２      第２軸線
Ｄ        距離
Ｄ１      間隔
Ｄ２      間隔
Ｅ１１    上流端
Ｅ１２    下流端
Ｌ        光
Ｓ１      第１領域
Ｓ２      第２領域
【図１】
2019015856.tif 000003
【図２】
2019015856.tif 000004
【図３】
2019015856.tif 000005
【図４】
2019015856.tif 000006
【図５】
2019015856.tif 000007
【図６】
2019015856.tif 000008
【図７】
2019015856.tif 000009
【図８】
2019015856.tif 000010
【図９】
2019015856.tif 000011
【図１０】
2019015856.tif 000012